(57)【要約】【課題】変流器の極性不良を短時間で確実に検出することができる極性検査装置を提供する。【解決手段】極性検査装置１は、同一特性の良品の変流器２と被検査品の変流器３とに同一の一次電流を流し、各変流器２，３の二次出力に夫々接続した同じ抵抗値の抵抗器４，５によって電圧信号に変換し、夫々の電圧信号を同じ増幅度の増幅器６，７によって増幅し、夫々の増幅器６，７の出力電圧を減算器８によって減算して出力し、被検査品の変流器３の極性が良品の変流器２の極性と異なる場合は減算器から一定値以上の出力電圧が出力されてスイッチング素子１１をオンし、ＬＥＤ１２やブザー１３等の報知装置を作動させ、被検査品の変流器３の極性が良品の変流器の極性２と同じ場合は減算器８から出力電圧がほとんどないのでスイッチング素子１１がオンせず、ＬＥＤ１２やブザー１３等の報知装置が作動しない。【選択図】　　　　図１
2004069303.tif 000002
【特許請求の範囲】
【請求項１】
良品の変流器と被検査品の変流器とに同一の一次電流を流し、各変流器の二次出力に夫々接続した抵抗器によって電圧信号に変換し、夫々の電圧信号を増幅器によって増幅し、夫々の前記増幅器の出力電圧を減算器によって減算して出力し、前記被検査品の変流器の極性が前記良品の変流器の極性と異なる場合は前記減算器から一定値以上の出力電圧が出力されてスイッチング素子をオンし、報知装置を作動させ、前記被検査品の変流器の極性が前記良品の変流器の極性と同じ場合は前記減算器から出力電圧がほとんどないので前記スイッチング素子がオンせず、前記報知装置が作動しないことを特徴とする変流器の極性検査装置。
【発明の詳細な説明】
【０００１】
【発明の属する技術分野】
本発明は、変流器の極性を検査するための極性検査装置に関する。
【０００２】
【従来の技術】
変流器はリングコアに巻かれたｎターンの二次巻線と、リングコアの中心穴に測定する電線を貫通させることによりｎ：１の変流比となる電流トランスであり、電線に流れる一次電流によって発生した磁界を打ち消すように二次巻線に帰還電流を流し、磁気平衡を保つ仕組みになっており、変流器から出力される二次電流を抵抗器に流すことで電圧信号に変換している。磁界を打ち消すためには、右ネジの法則により一次電流の流れる方向と二次巻線の巻線方向が関係し、どちらか一方が反対になると一次電流と二次電流の波形が反転する。変流器は樹脂ケースや樹脂モールド等で二次巻線部分が被覆されており、二次巻線の巻線方向を目視で確認できないため、一次電流を通電させた状態で、オシロスコープによって一次電流波形と二次電流波形を目視によって確認して極性の検査していた。
【０００３】
【発明が解決しようとする課題】
しかしながら、目視検査では検査者の集中力の低下によって不良品を見逃すことがあった。
【０００４】
そこで上記問題点に鑑み、本発明の目的は、変流器の極性不良を短時間で確実に検出することができる極性検査装置を提供することである。
【０００５】
【課題を解決するための手段】
上記目的を達成するために、良品の変流器と被検査品の変流器とに同一の一次電流を流し、各変流器の二次出力に夫々接続した抵抗器によって電圧信号に変換し、夫々の電圧信号を増幅器によって増幅し、夫々の増幅器の出力電圧を減算器によって減算して出力し、被検査品の変流器の極性が良品の変流器の極性と異なる場合は減算器から一定値以上の出力電圧が出力されてスイッチング素子をオンし、報知装置を作動させ、被検査品の変流器の極性が良品の変流器の極性と同じ場合は減算器から出力電圧がほとんどないのでスイッチング素子がオンせず、報知装置が作動しないことを特徴とする。
【０００６】
【発明の実施の形態】
極性検査装置は、良品の変流器と被検査品の変流器とに同一の一次電流を流し、各変流器の二次出力に夫々接続した抵抗器によって電圧信号に変換し、夫々の電圧信号を増幅器によって増幅し、夫々の増幅器の出力電圧を減算器によって減算して出力し、被検査品の変流器の極性が良品の変流器の極性と異なる場合は減算器から一定値以上の出力電圧が出力されてスイッチング素子をオンし、報知装置を作動させ、被検査品の変流器の極性が良品の変流器の極性と同じ場合は減算器から出力電圧がほとんどないのでスイッチング素子がオンせず、報知装置が作動しない。
【０００７】
【実施例】
本発明に係る変流器の極性検査装置の一実施例を図１の添付図面に基づいて説明する。
【０００８】
極性検査装置１は、同一特性の良品の変流器２と被検査品の変流器３の夫々の二次出力に接続された同じ抵抗値の抵抗器４，５と、抵抗器４，５の夫々に接続された同じ増幅度の増幅器６，７と、夫々の増幅器６，７の出力電圧を減算して出力する減算器８と、減算器８からの出力電圧を直流電圧に変換する整流素子であるダイオード９と、ダイオード９からの電流を一時的に蓄えるコンデンサ１０と、減算器８からの出力電圧によりオンするスイッチング素子であるトランジスタ１１と、トランジスタ１１のオンにより作動する報知装置であるＬＥＤ１２とブザー１３とで構成している。
【０００９】
極性を検査するには、まず、被検査品の変流器３を極性検査装置１に接続し、良品の変流器２と被検査品の変流器３の双方に電線１４を貫通させて同一の一次電流を流す。各変流器から出力される二次電流は抵抗器４，５によって電圧に変換され、増幅器６，７によって増幅された後、減算器８に入力される。
【００１０】
被検査品の変流器３の極性が良品の変流器２の極性と異なる場合は、例えば、図２に示すように増幅器６の出力電圧波形は（ａ）のようになり、増幅器７の出力電圧波形は（ｂ）のようになり、両者の出力電圧波形は位相が反転しているため、減算器８は各増幅器６，７からの入力電圧を減算して出力すると、トランジスタ１１がオンするために必要な一定値以上の出力電圧を出力するためにトランジスタ１１がオンする。これによってＬＥＤ１２とブザー１３が通電し、ＬＥＤ１２が点灯するとともにブザー１３が鳴動することにより、検査者に被検査品の変流器３の極性が良品の変流器２の極性と異なることを報知する。
【００１１】
被検査品の変流器３の極性と良品の変流器２の極性が同じ場合は、例えば、図３に示すように増幅器６の出力電圧波形は（ａ）のようになり、増幅器７の出力電圧波形は（ｂ）のようになり、両者の出力電圧波形は位相が同じであるため、減算器８は各増幅器６，７からの入力電圧を減算して出力しても出力電圧がほとんどないのでトランジスタ１１がオンせず、ＬＥＤ１２とブザー１３は作動しない。
【００１２】
尚、良品の変流器２は初めにオシロスコープを使用して一次電流と二次電流の極性を確認してから接続されている。
【００１３】
また、本実施例において、報知装置としてＬＥＤ１２とブザー１３を使用したがこれに限定するものではなく、どちらか一方だけ使用しても良いし、異常を知らせることができるものであれば他の報知装置を使用しても良い。
【００１４】
また、本実施例において、良品の変流器２と被検査品の変流器３は同一特性のものを使用したが、定格電流が異なるものを検査することもでき、その場合は抵抗器４，５の抵抗値を変えたり、増幅器６，７の増幅度を決定する抵抗器Ｒ１，Ｒ２，Ｒ３，Ｒ４の抵抗値を変えて増幅器６，７の出力電圧を同じにする。
【００１５】
【発明の効果】
以上説明したように良品の変流器と被検査品の変流器とに同一の一次電流を流し、各変流器の二次出力に夫々接続した抵抗器によって電圧信号に変換し、夫々の電圧信号を増幅器によって増幅し、夫々の増幅器の出力電圧を減算器によって減算して出力し、被検査品の変流器の極性が良品の変流器の極性と異なる場合は減算器から一定値以上の出力電圧が出力されてスイッチング素子をオンし、報知装置を作動させ、被検査品の変流器の極性が良品の変流器の極性と同じ場合は減算器から出力電圧がほとんどないのでスイッチング素子がオンせず、報知装置が作動しないことにより、検査者の集中力が低下しても変流器の極性不良を短時間で確実に検出することができるという効果がある。
【図面の簡単な説明】
【図１】本発明に係る変流器の極性検査装置を示す回路図である。
【図２】良品の変流器と被検査品の変流器の極性が異なる場合の各増幅器の出力電圧を示す波形図である。
【図３】良品の変流器と被検査品の変流器の極性が同じ場合の各増幅器の出力電圧を示す波形図である。
【符号の説明】
１…極性検査装置
２…良品の変流器
３…被検査品の変流器
４，５…抵抗器
６，７…増幅器
８…減算器
９…ダイオード
１０…コンデンサ
１１…トランジスタ
１２…ＬＥＤ
１３…ブザー
１４…電線
【図１】
2004069303.tif 000003
【図２】
2004069303.tif 000004
【図３】
2004069303.tif 000005